(57)【要約】【課題】無線通信機能を備えた情報処理装置において、より効果的に消費電力の低減を図ること。【解決手段】情報処理装置１において、通信モジュール１３は、外部機器と無線通信を行う。第１ＣＰＵ１１は、通常状態と通常状態よりも消費電力を抑えた省電力状態とを切り替えられることが可能である。第２ＣＰＵ１２は、第１ＣＰＵ１１よりも低消費電力で動作可能であり、第１ＣＰＵ１１が省電力状態である場合に、通信モジュール１３によって出力される割り込み信号を受け付ける。スイッチ１４は、第２ＣＰＵ１２から入力される切り替え信号に従って、通信モジュール１３の接続先を第１ＣＰＵ１１または第２ＣＰＵ１２に切り替える。第２ＣＰＵ１２は、割り込み信号を受け付けると第１ＣＰＵ１１を通常状態とし、スイッチ１４を通信モジュール１３と第１ＣＰＵ１１とを接続する状態に切り替える。【選択図】図２
2016066129.tif 000002
【特許請求の範囲】
【請求項１】
外部機器と無線通信を行う通信手段と、
通常状態と前記通常状態よりも消費電力を抑えた省電力状態とを切り替えられることが可能な第１制御手段と、
前記第１制御手段よりも低消費電力で動作可能であり、前記第１制御手段が省電力状態である場合に、前記通信手段によって出力される割り込み信号を受け付ける第２制御手段と、
前記第２制御手段から入力される切り替え信号に従って、前記通信手段の接続先を前記第１制御手段または前記第２制御手段に切り替える切替手段と、
を備え、
前記第２制御手段は、前記割り込み信号を受け付けると前記第１制御手段を通常状態とし、前記切替手段を前記通信手段と前記第１制御手段とを接続する状態に切り替えることを特徴とする情報処理装置。
【請求項２】
前記情報処理装置の状態を判定する状態判定手段を備え、
前記第２制御手段は、前記状態判定手段による判定結果が、前記情報処理装置を低消費電力モードに移行させる条件に合致する場合、前記第１制御手段を省電力状態とし、前記切替手段を前記通信手段と前記第２制御手段とを接続する状態に切り替え、前記通信手段からの割り込み信号を受け付ける状態となることを特徴とする請求項１に記載の情報処理装置。
【請求項３】
前記情報処理装置が取り扱われることによって生じる物理量を検出する検出手段を備え、
前記状態判定手段は、前記情報処理装置を低消費電力モードに移行させる条件として、前記検出手段によって検出された物理量に一定時間変化がなく、前記第１制御手段による前記通信手段を介した通信が行われていない状態であるか否かを判定することを特徴とする請求項２に記載の情報処理装置。
【請求項４】
前記通常状態は前記第１制御手段の電源がＯＮにされている状態であり、前記省電力状態は前記第１制御手段の電源がＯＦＦにされている状態であることを特徴とする請求項１乃至３の何れかに記載の情報処理装置。
【請求項５】
外部機器と無線通信を行う通信手段と、通常状態と前記通常状態よりも消費電力を抑えた省電力状態とを切り替えられることが可能な第１制御手段と、前記第１制御手段よりも低消費電力で動作可能であり、前記第１制御手段が省電力状態である場合に、前記通信手段によって出力される割り込み信号を受け付ける第２制御手段と、を備える情報処理装置で実行される動作制御方法であって、
前記第２制御手段が、前記第１制御手段を省電力状態とした場合に、前記通信手段によって出力される割り込み信号を受け付け、前記通信手段の接続先を前記第１制御手段に切り替えるステップと、
前記第２制御手段は、前記割り込み信号を受け付けると前記第１制御手段を通常状態とし、前記通信手段と前記第１制御手段とを接続する状態に切り替えるステップと、
を含むことを特徴とする動作制御方法。
【発明の詳細な説明】
【技術分野】
【０００１】
本発明は、情報処理装置及び動作制御方法に関する。
【背景技術】
【０００２】
従来、ブルートゥース（登録商標）等の無線通信技術を用いて他の機器と通信する情報処理装置が知られている。
ブルートゥース等の無線通信技術を用いる場合、無線通信の処理が必要になったときに、無線通信モジュールがＣＰＵ（Ｃｅｎｔｒａｌ  Ｐｒｏｃｅｓｓｉｎｇ  Ｕｎｉｔ）等の制御部に割り込みを行い、制御部による通信の制御が行われる。
これにより、外部からの通信によって不定期に発生する無線通信の処理に対応可能になると共に、処理無線通信の処理が不要な場合には、制御部が低消費電力の状態等に移行することによって、消費電力の低減を実現することができる。
なお、無線通信を行う情報処理装置に関する技術は、例えば、特許文献１等に記載されている。
【先行技術文献】
【特許文献】
【０００３】
【特許文献１】特開２０１４−１３７７５３号公報
【発明の概要】
【発明が解決しようとする課題】
【０００４】
しかしながら、無線通信の処理が必要になったときに制御部による無線通信の制御を行い、無線通信の処理が不要な場合には制御部を低消費電力の状態とする方法では、低消費電力化の効果が十分に得られない場合がある。即ち、制御部では、不定期に生じる通信モジュールからの割り込み信号を受け付ける必要があるため、電源をＯＦＦとすることはできず、通常よりも低消費電力の状態ではあるものの、一定の消費電力が生じることとなる。特に、処理能力が高いプロセッサを用いる場合、動作クロック周波数が高いことから、低消費電力化に限界がある。
【０００５】
本発明は、このような状況に鑑みてなされたものであり、無線通信機能を備えた情報処理装置において、より効果的に消費電力の低減を図ることを目的とする。
【課題を解決するための手段】
【０００６】
上記目的を達成するため、本発明の一態様の情報処理装置は、
外部機器と無線通信を行う通信手段と、
通常状態と前記通常状態よりも消費電力を抑えた省電力状態とを切り替えられることが可能な第１制御手段と、
前記第１制御手段よりも低消費電力で動作可能であり、前記第１制御手段が省電力状態である場合に、前記通信手段によって出力される割り込み信号を受け付ける第２制御手段と、
前記第２制御手段から入力される切り替え信号に従って、前記通信手段の接続先を前記第１制御手段または前記第２制御手段に切り替える切替手段と、
を備え、
前記第２制御手段は、前記割り込み信号を受け付けると前記第１制御手段を通常状態とし、前記切替手段を前記通信手段と前記第１制御手段とを接続する状態に切り替えることを特徴とする。
【発明の効果】
【０００７】
本発明によれば、無線通信機能を備えた情報処理装置において、より効果的に消費電力の低減を図ることができる。
【図面の簡単な説明】
【０００８】
【図１】本発明の一実施形態に係る情報処理装置のハードウェアの構成を示すブロック図である。
【図２】図１の情報処理装置の機能的構成のうち、動作制御処理を実行するための機能的構成を示す機能ブロック図である。
【図３】図２の機能的構成を有する図１の情報処理装置が実行する動作制御処理の流れを説明するフローチャートである。
【図４】動作制御処理が実行された場合の情報処理装置の動作例を示す模式図である。
【発明を実施するための形態】
【０００９】
以下、本発明の実施形態について、図面を用いて説明する。
【００１０】
図１は、本発明の一実施形態に係る情報処理装置１のハードウェアの構成を示すブロック図である。
情報処理装置１は、例えばリスト装着型のウェアラブル端末として構成される。本実施形態において、情報処理装置１は、携帯電話機と連携して着信を通知したり、通話を行ったりすることが可能な装置である。
【００１１】
情報処理装置１は、第１ＣＰＵ（Ｃｅｎｔｒａｌ  Ｐｒｏｃｅｓｓｉｎｇ  Ｕｎｉｔ）１１と、第２ＣＰＵ１２と、通信モジュール１３と、スイッチ１４と、入力部１５と、出力部１６と、センサ部１７とを備えている。
第１ＣＰＵ１１は、情報処理装置１全体を主として制御し、通信モジュール１３を介して外部の機器と通信を行ったり、各種プログラムに従って各種処理を実行したりする。本実施形態において、第１ＣＰＵ１１は、第２ＣＰＵ１２の制御によって、電源のＯＮ／ＯＦＦが切り替えられる。第１ＣＰＵ１１は、例えば、動作クロック周波数が数百ＭＨｚ〜数ＧＨｚあるいはそれ以上のプロセッサによって構成される。第１ＣＰＵ１１として、例えば、スマートフォンやタブレットＰＣ向けの汎用のプロセッサを用いることができる。
【００１２】
第２ＣＰＵ１２は、第１ＣＰＵ１１を補助する制御を行い、予め設定された状況において、第１ＣＰＵ１１の電源をＯＦＦとしたり、第１ＣＰＵ１１を起動したりする。第２ＣＰＵ１２は、第１ＣＰＵ１１よりも低消費電力なプロセッサによって構成され、例えば、動作クロック周波数が数十ＭＨｚ以下のプロセッサによって構成することができる。第２ＣＰＵ１２として、例えば、組み込み機器向けのマイコンを用いることができる。
通信モジュール１３は、第１ＣＰＵ１１または第２ＣＰＵ１２の制御に従って、ブルートゥースによる無線通信を行う。本実施形態において、通信モジュール１３は、レガシーモード及びローエナジーモードの２つの通信モードに対応している。また、通信モジュール１３は、外部から無線信号を受信した場合、スイッチ１４に受信を示す割り込み信号を出力する。
【００１３】
スイッチ１４は、第１ＣＰＵ１１及び第２ＣＰＵ１２のいずれかと、通信モジュール１３とを切り替えて接続するスイッチである。スイッチ１４によって第１ＣＰＵ１１及び第２ＣＰＵ１２のいずれを通信モジュール１３と接続するかは、第２ＣＰＵ１２から入力される切り替え信号によって制御される。なお、通信モジュール１３から入力された割り込み信号は、第１ＣＰＵ１１及び第２ＣＰＵ１２のうち切り替え信号によって接続されている側に出力される。
【００１４】
入力部１５は、マイクや各種釦等で構成され、ユーザの操作に応じて各種情報を入力する。
出力部１６は、ディスプレイやスピーカ等で構成され、画像や音声を出力する。
センサ部１７は、加速度センサやＧＰＳ（Ｇｌｏｂａｌ  Ｐｏｓｉｔｉｏｎｉｎｇ  Ｓｙｓｔｅｍ）等を用いた位置センサ等で構成される。
なお、情報処理装置１は、上記ハードウェアの他、画像を撮像する撮像部、各種情報を記憶する記憶部あるいはリムーバブルメディアのドライブ等の各種ハードウェアを適宜備えることができる。
【００１５】
図２は、このような情報処理装置１の機能的構成のうち、動作制御処理を実行するための機能的構成を示す機能ブロック図である。
動作制御処理とは、情報処理装置１の状況に応じて、第１ＣＰＵ１１の電源のＯＮ／ＯＦＦを切り替えると共に、スイッチ１４による接続の状態を切り替える一連の処理をいう。
【００１６】
動作制御処理が実行される場合、図２に示すように、第１ＣＰＵ１１において、割り込み受付部５１と、電源制御部５２とが機能し、第２ＣＰＵ１２において、割り込み受付部６１と、切り替え制御部６２と、起動制御部６３とが機能する。
割り込み受付部５１は、通信モジュール１３からのスイッチ１４を介した割り込み信号を受け付ける。割り込み受付部５１は、通信モジュール１３からの割り込み信号を受け付けると、第１ＣＰＵ１１を通信モジュール１３と信号の入出力を行う状態とする。これにより、第１ＣＰＵ１１は、通信モジュール１３を介して外部の機器と通信を行う状態となる。
【００１７】
電源制御部５２は、第１ＣＰＵ１１に対する電力供給のゲートとして機能し、第２ＣＰＵ１２からの電源制御信号（電源をＯＮまたはＯＦＦさせる信号）を受け付けると、第１ＣＰＵ１１における電源をＯＮまたはＯＦＦする。
第２ＣＰＵ１２において、割り込み受付部６１は、スイッチ１４を介して通信モジュール１３から入力される割り込み信号を受け付ける。
切り替え制御部６２は、割り込み受付部６１によって通信モジュール１３からの割り込み信号が受け付けられた場合に、スイッチ１４に対して、第１ＣＰＵ１１を接続先として指示する切り替え信号を出力する。また、切り替え制御部６２は、情報処理装置１の状態が第１ＣＰＵ１１の電源をＯＦＦとする条件（例えば、センサ部１７における検出信号に一定時間変化がなく、通信モジュール１３を介して通信が行われていない場合等）に合致した場合に、スイッチ１４に対して、第２ＣＰＵ１２を接続先として指示する切り替え信号を出力する。
【００１８】
起動制御部６３は、割り込み受付部６１によって通信モジュール１３からの割り込み信号が受け付けられた場合に、第１ＣＰＵ１１に対して、電源をＯＮとして起動を指示する電源制御信号を出力する。また、起動制御部６３は、情報処理装置１の状態が第１ＣＰＵ１１の電源をＯＦＦとする条件に合致した場合に、第１ＣＰＵ１１に対して、電源をＯＦＦとして停止を指示する電源制御信号を出力する。
このように、情報処理装置１の状態が第１ＣＰＵ１１の電源をＯＦＦとする条件に合致した場合、情報処理装置１は、第１ＣＰＵ１１の電源をＯＦＦとし、スイッチ１４の接続先を第２ＣＰＵ１２に切り替えて、第２ＣＰＵ１２が通信モジュール１３からの割り込み信号を受け付けるモード（以下、「低消費電力モード」と呼ぶ。）となる。
【００１９】
次に、動作を説明する。
図３は、図２の機能的構成を有する図１の情報処理装置１が実行する動作制御処理の流れを説明するフローチャートである。
動作制御処理は、情報処理装置１の電源投入と共に開始され、電源がＯＦＦとされるまで繰り返し実行される。
【００２０】
ステップＳ１において、第２ＣＰＵ１２の起動制御部６３は、通信モジュール１３が外部の機器とリンクを形成しているか否かの判定を行う。
通信モジュール１３が外部の機器とリンクを形成している場合、ステップＳ１においてＹＥＳと判定されて、処理はステップＳ２に移行する。
一方、通信モジュール１３が外部の機器とリンクを形成していない場合、ステップＳ１においてＮＯと判定されて、動作制御処理が繰り返される。
【００２１】
ステップＳ２において、第２ＣＰＵ１２の起動制御部６３は、センサ部１７の検出信号の状態及び通信モジュール１３における通信の実行状態を認識する。
ステップＳ３において、第２ＣＰＵ１２の起動制御部６３は、ステップＳ２において認識したセンサ部１７の検出信号の状態及び通信モジュール１３における通信の実行状態に基づいて、情報処理装置１の状態が第１ＣＰＵ１１の電源をＯＦＦとする条件に合致しているか否か（低消費電力モードに移行するか否か）の判定を行う。具体的には、第２ＣＰＵ１２の起動制御部６３は、センサ部１７における検出信号に一定時間変化がなく、通信モジュール１３を介して通信が行われていない状態であるか否かの判定を行う。
情報処理装置１の状態が第１ＣＰＵ１１の電源をＯＦＦとする条件に合致している場合、ステップＳ３においてＹＥＳと判定されて、処理はステップＳ４に移行する。
一方、情報処理装置１の状態が第１ＣＰＵ１１の電源をＯＦＦとする条件に合致していない場合、ステップＳ３においてＮＯと判定されて、処理はステップＳ１に移行する。
【００２２】
ステップＳ４において、情報処理装置１は、低消費電力モードに移行する。具体的には、第２ＣＰＵ１２の切り替え制御部６２が、スイッチ１４の接続先を第２ＣＰＵ１２に切り替え、第２ＣＰＵ１２の起動制御部６３が第１ＣＰＵ１１の電源をＯＦＦとし、第２ＣＰＵ１２の割り込み受付部６１が通信モジュール１３からの割り込み信号を受け付ける状態となる。
ステップＳ５において、第２ＣＰＵ１２の割り込み受付部６１は、スイッチ１４を介して通信モジュール１３から割り込み信号を受け付けたか否かの判定を行う。
スイッチ１４を介して通信モジュール１３から割り込み信号を受け付けた場合、ステップＳ５においてＹＥＳと判定されて、処理はステップＳ６に移行する。
一方、スイッチ１４を介して通信モジュール１３から割り込み信号を受け付けていない場合、ステップＳ５においてＮＯと判定されて、処理はステップＳ４に移行する。
【００２３】
ステップＳ６において、第２ＣＰＵ１２の起動制御部６３は、第１ＣＰＵ１１の電源をＯＮとする。これにより、第１ＣＰＵ１１の電源制御部５２により第１ＣＰＵ１１が起動される。
ステップＳ７において、第１ＣＰＵ１１は、通信モジュール１３を介して外部の機器と通信を行う。
ステップＳ７の後、動作制御処理が繰り返される。
【００２４】
図４は、動作制御処理が実行された場合の情報処理装置１の動作例を示す模式図である。
図４に示すように、情報処理装置１が装着されていない深夜においては、第１ＣＰＵ１１がＯＦＦとなり、第２ＣＰＵ１２が通信モジュール１３からの割り込み信号を受け付ける状態となる。
この場合、情報処理装置１は、低消費電力で動作する状態となり、接続先の携帯電話等からのバイブレーション動作の指示等、簡単な信号の通信のみが可能な状態となる。
そして、通信モジュール１３が、接続先の携帯電話等から着信を示す信号を受信した場合、通信モジュール１３から第２ＣＰＵ１２に割り込み信号が出力され、第２ＣＰＵ１２は、第１ＣＰＵ１１を起動させる。また、第２ＣＰＵ１２は、スイッチ１４の接続先を第１ＣＰＵ１１に切り替える。
これにより、情報処理装置１は、第１ＣＰＵ１１が通信モジュール１３を介して接続先の携帯電話等と通信を行う状態（即ち、音声通話等が可能な通常の状態）となる。
その後、情報処理装置１が装着されていない状態が続くと、第２ＣＰＵ１２は、第１ＣＰＵ１１の電源を再びＯＦＦとし、第２ＣＰＵ１２が通信モジュール１３からの割り込み信号を受け付ける状態となる。
【００２５】
以上のように構成される情報処理装置１は、通信モジュール１３と、第１ＣＰＵ１１と、第２ＣＰＵ１２と、スイッチ１４とを備える。
通信モジュール１３は、外部機器と無線通信を行う。
第１ＣＰＵ１１は、通常状態と通常状態よりも消費電力を抑えた省電力状態とを切り替えられることが可能である。
第２ＣＰＵ１２は、第１ＣＰＵ１１よりも低消費電力で動作可能であり、第１ＣＰＵ１１が省電力状態である場合に、通信モジュール１３によって出力される割り込み信号を受け付ける。
スイッチ１４は、第２ＣＰＵ１２から入力される切り替え信号に従って、通信モジュール１３の接続先を第１ＣＰＵ１１または第２ＣＰＵ１２に切り替える。
第２ＣＰＵ１２は、割り込み信号を受け付けると第１ＣＰＵ１１を通常状態とし、スイッチ１４を通信モジュール１３と第１ＣＰＵ１１とを接続する状態に切り替える。
これにより、情報処理装置１においては、消費電力がより大きい第１ＣＰＵ１１の電源を低消費電力な状態にすることができると共に、第１ＣＰＵ１１の電源が低消費電力な状態となる場合には、より低消費電力で動作可能な第２ＣＰＵ１２が通信モジュール１３からの割り込み信号を受け付ける。
したがって、無線通信機能を備えた情報処理装置において、より効果的に消費電力の低減を図ることが可能となる。
【００２６】
また、情報処理装置１は、起動制御部６３を備える。
起動制御部６３は、情報処理装置１の状態を判定する。
第２ＣＰＵ１２は、起動制御部６３による判定結果が、情報処理装置１を低消費電力モードに移行させる条件に合致する場合、第１ＣＰＵ１を省電力状態とし、スイッチ１４を通信モジュール１３と第２ＣＰＵ１２とを接続する状態に切り替え、通信モジュール１３からの割り込み信号を受け付ける状態となる。
これにより、情報処理装置１の状態が所定の条件に合致する場合に、情報処理装置１を低消費電力モードに移行することができる。
したがって、より効果的に情報処理装置１を低消費電力モードとすることが可能となる。
【００２７】
また、情報処理装置１は、センサ部１７を備える。
センサ部１７は、情報処理装置が取り扱われることによって生じる物理量（加速度等）を検出する。
起動制御部６３は、情報処理装置１を低消費電力モードに移行させる条件として、センサ部１７によって検出された物理量に一定時間変化がなく、第１ＣＰＵ１１による通信モジュール１３を介した通信が行われていない状態であるか否かを判定する。
これにより、情報処理装置１の稼働状態を適確に反映させて、低消費電力モードに移行させることができる。
したがって、無線通信機能を備えた情報処理装置において、より効果的に消費電力の低減を図ることが可能となる。
【００２８】
また、通常状態は第１ＣＰＵ１１の電源がＯＮにされている状態であり、省電力状態は第１ＣＰＵ１１の電源がＯＦＦにされている状態である。
これにより、第１ＣＰＵ１１をより低消費電力な状態とすることができ、より効果的に消費電力の低減を図ることが可能となる。
【００２９】
なお、本発明は、上述の実施形態に限定されるものではなく、本発明の目的を達成できる範囲での変形、改良等は本発明に含まれるものである。
【００３０】
上述の実施形態では、センサ部１７における検出信号に一定時間変化がなく、通信モジュール１３を介して通信が行われていない状態である場合に、低消費電力モードに移行するものとしたが、低消費電力モードに移行する条件は、これに限られない。
例えば、通信モジュール１３において、レガシーモードで通信が行われている場合には、通常のモード（第１ＣＰＵ１１が通信を行うモード）とし、ローエナジーモードで通信が行われている場合には、低消費電力モードとすることができる。
また、上述の実施形態では、第１ＣＰＵ１１を電源ＯＮとするか、電源ＯＦＦとするかを切り替えたが、これに限らず、通常の状態と消費電力を抑えた例えばスリープ状態やスタンバイ状態とを切り替えるようにしてもよい。つまり、電源ＯＮとＯＦＦのような状態に限らず、消費電力の異なる２つの状態を切り替えることができればよい。
【００３１】
また、上述の実施形態では、通信モジュール１３の通信方式がブルートゥースである場合を例に挙げて説明したが、これに限られない。即ち、赤外線通信等、各種無線通信の方式を用いる場合に、本発明を適用することができる。
【００３２】
また、上述の実施形態では、本発明が適用される情報処理装置１は、ウェアラブル端末を例として説明したが、特にこれに限定されない。
例えば、本発明は、無線通信機能を有する電子機器一般に適用することができる。具体的には、例えば、本発明は、ノート型のパーソナルコンピュータ、テレビジョン受像機、ビデオカメラ、携帯型ナビゲーション装置、携帯電話機、スマートフォン、ポータブルゲーム機等に適用可能である。
【００３３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００３４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００３５】
このようなプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。リムーバブルメディアは、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されているＲＯＭ（Ｒｅａｄ  Ｏｎｌｙ  Ｍｅｍｏｒｙ）や、記憶部に含まれるハードディスク等で構成される。
【００３６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００３７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００３８】
以下に、本願の出願当初の特許請求の範囲に記載された発明を付記する。
［付記１］
外部機器と無線通信を行う通信手段と、
通常状態と前記通常状態よりも消費電力を抑えた省電力状態とを切り替えられることが可能な第１制御手段と、
前記第１制御手段よりも低消費電力で動作可能であり、前記第１制御手段が省電力状態である場合に、前記通信手段によって出力される割り込み信号を受け付ける第２制御手段と、
前記第２制御手段から入力される切り替え信号に従って、前記通信手段の接続先を前記第１制御手段または前記第２制御手段に切り替える切替手段と、
を備え、
前記第２制御手段は、前記割り込み信号を受け付けると前記第１制御手段を通常状態とし、前記切替手段を前記通信手段と前記第１制御手段とを接続する状態に切り替えることを特徴とする情報処理装置。
［付記２］
前記情報処理装置の状態を判定する状態判定手段を備え、
前記第２制御手段は、前記状態判定手段による判定結果が、前記情報処理装置を低消費電力モードに移行させる条件に合致する場合、前記第１制御手段を省電力状態とし、前記切替手段を前記通信手段と前記第２制御手段とを接続する状態に切り替え、前記通信手段からの割り込み信号を受け付ける状態となることを特徴とする付記１に記載の情報処理装置。
［付記３］
前記情報処理装置が取り扱われることによって生じる物理量を検出する検出手段を備え、
前記状態判定手段は、前記情報処理装置を低消費電力モードに移行させる条件として、前記検出手段によって検出された物理量に一定時間変化がなく、前記第１制御手段による前記通信手段を介した通信が行われていない状態であるか否かを判定することを特徴とする付記２に記載の情報処理装置。
［付記４］
前記通常状態は前記第１制御手段の電源がＯＮにされている状態であり、前記省電力状態は前記第１制御手段の電源がＯＦＦにされている状態であることを特徴とする付記１乃至３の何れかに記載の情報処理装置。
［付記５］
外部機器と無線通信を行う通信手段と、通常状態と前記通常状態よりも消費電力を抑えた省電力状態とを切り替えられることが可能な第１制御手段と、前記第１制御手段よりも低消費電力で動作可能であり、前記第１制御手段が省電力状態である場合に、前記通信手段によって出力される割り込み信号を受け付ける第２制御手段と、を備える情報処理装置で実行される動作制御方法であって、
前記第２制御手段が、前記第１制御手段を省電力状態とした場合に、前記通信手段によって出力される割り込み信号を受け付け、前記通信手段の接続先を前記第１制御手段に切り替えるステップと、
前記第２制御手段は、前記割り込み信号を受け付けると前記第１制御手段を通常状態とし、前記通信手段と前記第１制御手段とを接続する状態に切り替えるステップと、
を含むことを特徴とする動作制御方法。
【符号の説明】
【００３９】
１・・・情報処理装置，１１・・・第１ＣＰＵ，１２・・・第２ＣＰＵ，１３・・・通信モジュール，１４・・・スイッチ，１５・・・入力部，１６・・・出力部，１７・・・センサ部，５１、６１・・・割り込み受付部，５２・・・電源制御部，６２・・・切り替え制御部，６３・・・起動制御部
【図１】
2016066129.tif 000003
【図２】
2016066129.tif 000004
【図３】
2016066129.tif 000005
【図４】
2016066129.tif 000006
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
外部機器と通信を行う通信手段と、
通常状態と前記通常状態よりも消費電力を抑えた省電力状態とを切り替えられることが可能な第１制御手段と、
前記第１制御手段が省電力状態である場合に、前記通信手段によって出力される割り込み信号を受け付ける第２制御手段と、
前記第２制御手段から入力される切り替え信号に従って、前記通信手段によって出力される割り込み信号の接続先を前記第１制御手段または前記第２制御手段に切り替える切替手段と、
を備え、
前記第２制御手段は、前記割り込み信号を受け付けると前記第１制御手段を通常状態とし、前記切替手段を前記通信手段と前記第１制御手段とを接続する状態に切り替えることを特徴とする情報処理装置。
【請求項２】
前記情報処理装置の状態を判定する状態判定手段を備え、
前記第２制御手段は、前記状態判定手段による判定結果が、前記情報処理装置を低消費電力モードに移行させる条件に合致する場合、前記第１制御手段を省電力状態とし、前記切替手段を前記通信手段と前記第２制御手段とを接続する状態に切り替え、前記通信手段からの割り込み信号を受け付ける状態となることを特徴とする請求項１に記載の情報処理装置。
【請求項３】
前記情報処理装置が取り扱われることによって生じる物理量を検出する検出手段を備え、
前記状態判定手段は、前記情報処理装置を低消費電力モードに移行させる条件として、前記検出手段によって検出された物理量に一定時間変化がなく、前記第１制御手段による前記通信手段を介した通信が行われていない状態であるか否かを判定することを特徴とする請求項２に記載の情報処理装置。
【請求項４】
前記通常状態は前記第１制御手段の電源がＯＮにされている状態であり、前記省電力状態は前記第１制御手段の電源がＯＦＦにされている状態であることを特徴とする請求項１乃至３の何れかに記載の情報処理装置。
【請求項５】
前記第２制御手段は、前記第１制御手段よりも低消費電力で動作可能なことを特徴とする請求項１乃至４の何れかに記載の情報処理装置。
【請求項６】
外部機器と通信を行う通信手段と、通常状態と前記通常状態よりも消費電力を抑えた省電力状態とを切り替えられることが可能な第１制御手段と、前記第１制御手段が省電力状態である場合に、前記通信手段によって出力される割り込み信号を受け付ける第２制御手段と、前記第２制御手段から入力される切り替え信号に従って、前記通信手段によって出力される割り込み信号の接続先を前記第１制御手段または前記第２制御手段に切り替える切替手段と、を備える情報処理装置で実行される動作制御方法であって、
前記第１制御手段が省電力状態である場合に、前記第２制御手段が前記通信手段によって出力される割り込み信号を受け付けるステップと、
前記第２制御手段が前記割り込み信号を受け付けると前記第１制御手段を通常状態にするステップと、
前記切替手段を前記通信手段と前記第１制御手段とを接続する状態に切り替えるステップと、
を含むことを特徴とする動作制御方法。
【手続補正２】
【補正対象書類名】明細書
【補正対象項目名】０００６
【補正方法】変更
【補正の内容】
【０００６】
上記目的を達成するため、本発明の一態様の情報処理装置は、
外部機器と通信を行う通信手段と、
通常状態と前記通常状態よりも消費電力を抑えた省電力状態とを切り替えられることが可能な第１制御手段と、
前記第１制御手段が省電力状態である場合に、前記通信手段によって出力される割り込み信号を受け付ける第２制御手段と、
前記第２制御手段から入力される切り替え信号に従って、前記通信手段によって出力される割り込み信号の接続先を前記第１制御手段または前記第２制御手段に切り替える切替手段と、
を備え、
前記第２制御手段は、前記割り込み信号を受け付けると前記第１制御手段を通常状態とし、前記切替手段を前記通信手段と前記第１制御手段とを接続する状態に切り替えることを特徴とする。